(57)【要約】      （修正有）【課題】通話用電源として電池や外部電源を用いないで、発信・着信・通話を行うことができる磁石式電話回線用電話機を提供する。【解決手段】磁石式電話回線Ｌ１，Ｌ２と接続する磁石式電話回線用電話機１０において、呼出信号用の電力を発生する磁石発電手段２と、磁石発電手段から出力された出力電力を通話用電力として供給する通話電源供給手段１と、送受器６の状態に応じて、磁石発電手段と磁石式電話回線、又は、磁石発電手段と通話電源供給手段のいずれかに接続切替えを行う接続切替手段Ｓ１〜Ｓ４とを備える。【選択図】図１
0003188444.tif 000002
【実用新案登録請求の範囲】
【請求項１】
磁石式電話回線と接続する磁石式電話回線用電話機において、
呼出信号用の電力を発生する磁石発電手段と、
上記磁石発電手段から出力された出力電力を通話用電力として供給する通話電源供給手段と、
送受器の状態に応じて、上記磁石発電手段と上記磁石式電話回線、又は、上記磁石発電手段と上記通話電源供給手段のいずれかに接続切替えを行う接続切替手段と
を備えることを特徴とする磁石式電話回線用電話機。
【請求項２】
上記通話電源供給手段が、上記磁石発電手段からの出力電力を通話用電力に変換する電力変換部を有することを特徴とする請求項１に記載の磁石式電話回線用電話機。
【請求項３】
上記通話電源供給手段が、上記磁石発電手段から得た電力を蓄え、その電力を通話用電力として出力する蓄電部を有することを特徴とする請求項１又は２に記載の磁石式電話回線用電話機。
【請求項４】
上記通話電源供給電源手段が、上記電力変換部により変換された電力の電力量を制限して上記蓄電部に出力する電力制限部を有することを特徴とする請求項３に記載の磁石式電話回線用電話機。
【請求項５】
上記接続切替手段が、オフフック状態のときに上記磁石発電手段と上記通話電源供給手段とを接続させ、オンフック状態のときに上記磁石発電手段と上記磁石式電話回線とを接続させるものであることを特徴とする請求項１〜４のいずれかに記載の磁石式電話回線用電話機。
【考案の詳細な説明】
【技術分野】
【０００１】
本考案は、磁石式電話回線用電話機に関する。
【背景技術】
【０００２】
従来、磁石式電話回線用電話機は、その仕組みが簡単で故障も少ないため、例えば、鉄道会社、電力会社、航空管制、新聞社、官公庁、自衛隊などが、磁石式電話回線を構成し、平常時或いは緊急時の連絡手段として使用されている。
【０００３】
特に、災害などによる停電や一般電話の不通が発生した場合でも、磁石式電話回線の切断や短絡等によって不通にならない限り、磁石式電話回線用電話機は安定した連絡手段として利用することができる。
【０００４】
図２は、従来の磁石式電話回線用電話機１０Ａの内部構成を示す内部構成図である。図２に示すように、従来の磁石式電話回線用電話機１０Ａは、通話用電源として、例えば電池又は外部直流電源を備えることが必要である。
【先行技術文献】
【特許文献】
【０００５】
【特許文献１】特開平６−３００８７号公報
【考案の概要】
【考案が解決しようとする課題】
【０００６】
しかしながら、従来の磁石式電話回線用電話機は、災害などが発生した場合であって、通話用電源から電力が供給されないときには、通話することができないという問題が生じ得る。
【０００７】
例えば、通話用電源として商用電源とする場合、停電時には通話用電力が供給されないことが生じ得る。このような場合に備えて、無停電電源装置等の停電対策設備を設置することが考えられる。しかし、停電対策設備を設置するためのコストが高くなり設置に係る時間も要してしまう。更に停電対策設備の正常性を確認するための定期メンテナンスも必要となる。
【０００８】
また例えば、通話用電源として電池を用いる場合、磁石式電話回線用電話機は平常時においても通常に使用されているため、緊急時においても通話ができるように電池の残容量を確認するための定期メンテナンスが必要となる。また、予備電池を設けることも考えられる。しかし、予備電池を設けるためのコストがかかり、又予備電池の残容量確認や予備電池の交換等のための定期メンテナンスも必要となる。
【０００９】
そのため、通話用電源として電池や外部電源を必要としないで、発信・着信・通話を実現することができる磁石式電話回線用電話機が求められている。
【課題を解決するための手段】
【００１０】
かかる課題を解決するために、本考案は、磁石式電話回線と接続する磁石式電話回線用電話機において、（１）呼出信号用の電力を発生する磁石発電手段と、（２）磁石発電手段から出力された出力電力を通話用電力として供給する通話電源供給手段と、（３）送受器の状態に応じて、磁石発電手段と磁石式電話回線、又は、磁石発電手段と通話電源供給手段のいずれかに接続切替えを行う接続切替手段とを備えることを特徴とする磁石式電話回線用電話機である。
【考案の効果】
【００１１】
本考案によれば、通話用電源として電池や外部電源を用いないで、発信・着信・通話を行うことができる。
【図面の簡単な説明】
【００１２】
【図１】実施形態に係る磁石式電話回線用電話機の内部構成を示す内部構成図である。
【図２】従来の磁石式電話回線用電話機の内部構成を示す内部構成図である。
【図３】実施形態に係る磁石式電話回線用電話機の外観イメージを説明する外観図である。
【考案を実施するための形態】
【００１３】
（Ａ）主たる実施形態
以下では、本考案に係る磁石式電話回線用電話機の実施形態を、図面を参照しながら詳細に説明する。
【００１４】
（Ａ−１）実施形態の構成
図１は、実施形態に係る磁石式電話回線用電話機の内部構成を示す内部構成図である。
【００１５】
図１において、実施形態に係る磁石式電話回線用電話機１０は、通話電源供給回路部１、磁石発電機２、着信検出回路部３、スピーカ４、通話回路網５、送受器６、ハンドル８を有する。
【００１６】
磁石式電話回線用電話機１０は、磁石式電話回線Ｌ１及びＬ２に接続する電話機である。図３は、実施形態に係る磁石式電話回線用電話機１０の送受器６の上方から見たときの外観イメージを示す外観図である。図３に示すように、磁石式電話回線用電話機１０は、図１に例示する構成要素を搭載する本体７と、その本体１０に接続する送受器６と、図１の磁石発電機２を発電させるためのハンドル８とを有する。
【００１７】
磁石式電話回線用電話機１０の本体７は、例えばプラスチック製又は金属製の筐体であり、この本体７の内部に図１に例示する構成要素が搭載されている。
【００１８】
ハンドル８は、例えば磁石式電話回線用電話機１０の側面に設けられているクランクハンドルであって、利用者操作により回されることで磁石発電機２を発電させるものである。ハンドル８は後述する磁石発電機２と接続しており、ハンドル８が回されることにより磁石発電機２のｇ接点をａ点からｂ点に切り替えると共に、磁石発電機２で発電させて呼出信号（リンガー信号）を磁石式電話回線に出力させるものである。なお、この実施形態では、ハンドル８が磁石式電話回線用電話機１０の側面に配置される場合を例示するが、ハンドル８が配置される位置は、特に限定されるものではなく、例えば、本体７の上部側面や、送話器７がフックされている本体７の前面等に設けられるようにしても良い。
【００１９】
図１において、送受器６は受話器６ａ及び送話器６ｂからなり、受話器６ａは通話回路網５から受信した音声信号（電気信号）を音声として放出するものであり、送話器６ｂは利用者が発した音声を捕捉しその音声を音声信号（電気信号）として通話回路網５に出力するものである。送話器６ｂと通話回路網５との間にはフックスイッチＳ２を介して、後述する通話電源供給回路部１が設けられている。
【００２０】
通話回路網５は、２線／４線変換ハイブリッド回路部であり、磁石式電話回線とインピーダンスを整合し、送話器６ｂからの音声信号が受話器６ａに回り込むことを減らす側音防止回路部である。
【００２１】
フックスイッチＳ１〜Ｓ４は、送話器７の状態、すなわちオンフック状態（待ち受け状態）又はオフフック状態（持ち上げ状態）に連動して接点を切り替えるものである。なお、図１のフックスイッチＳ１〜Ｓ４はいずれも、オンフック状態の場合を例示している。
【００２２】
具体的には、フックスイッチＳ１及びＳ２は、オンフック状態で開接点となり、オフフック状態で閉接点となる。フックスイッチＳ１は磁石式電話回線Ｌ１及びＳ２と通話回線網５とを接続するためのスイッチであり、フックスイッチＳ２は、送話器６ｂと通話電源供給回路部１及び通話回線網５とを接続するためのスイッチである。
【００２３】
また、フックスイッチＳ３及びＳ４は、オンフック状態でａ点と接続しており、オフフック状態でｂ点に切り替えるものである。フックスイッチＳ３及びＳ４は、送受器６のオフフック状態のときに、磁石発電機２と通話電源供給回路部１とを接続するためのスイッチである。
【００２４】
ｇ接点は、上述したように、ハンドル８の回転に連動して接点を切り替えるものであり、着信時はａ点に接しており、ハンドル８が回転するとｂ点に接点を切り替えるものである。
【００２５】
磁石発電機２は、利用者操作によりハンドル８が回されることにより、ｇ接点をａ点からｂ点に切り替えると共に、呼出信号用の電力を発生させて出力するものである。磁石発電機２は、既存の磁石式電話回線用電話機に用いられる磁石発電機を広く適用することができ、例えばハンドル８が回されることで磁石が動き電磁誘導により発電コイルに呼出信号用の電力が発生する。
【００２６】
磁石発電機２は、フックスイッチＳ３及びＳ４を介して、通話電源供給回路部１と接続している。送受器６が持ち上げられオフフック状態で、フックスイッチＳ３及びＳ４がｂ点に接点を切り替え、更にオフフック状態でハンドル８が回転されて磁石発電機２が発電すると、磁石発電機２と通話電源供給回路部１との間で電位差が生じ、磁石発電機２から通話電源供給回路部１に交流電流が流れる。
【００２７】
つまり、フックスイッチＳ３及びＳ４がａ点に接している場合、磁石発電機２は磁石式電話回線Ｌ１及びＬ２と接続し、呼出信号が磁石式電話回線に出力される。また、フックスイッチＳ３及びＳ４がｂ点に接している場合、磁石発電機２は通話電源供給回路部１と接続し、磁石発電機２の電力が通話電源供給回路部１に与えられる。フックスイッチＳ３及びＳ４の接点状態に応じて、磁石発電機２の電力は、呼出信号として出力されたり又は通話電源の一部として利用されたりする。
【００２８】
通話電源供給回路部１は、磁石発電機２で発電された電力を変換して蓄積するものである。また、通話電源供給回路部１は、蓄えた電力を通話用電力として通話回路網５に供給するものである。
【００２９】
ここで、通話電源供給回路部１は、図１に示すように、交流／直流（ＡＣ／ＤＣ）変換回路部１１、電流制限回路部１２、蓄電回路部１３を有する。
【００３０】
ＡＣ／ＤＣ変換回路部１１は、磁石発電機２から流れる交流電流を直流電流に変換するものである。これにより、直流電流が電流制限回路部１２に流れる。ＡＣ／ＤＣ変換回路部１１は、既存のＡＣ／ＤＣ変換回路を広く適用することができる。
【００３１】
電流制限回路部１２は、蓄電回路部１３への過電流を制限するために、ＡＣ／ＤＣ変換回路部１１から流れる電流値を制限するものである。電流制限回路部１２は、蓄電回路部１３に流れる電流値が大きくなりすぎることで、磁石発電機２の負荷が大きくなり、磁石発電機２を駆動するハンドル８が回しにくくなることを防止するため設けている。
【００３２】
蓄電回路部１３は、電流制限回路部１２を介して、磁石発電機２からの電力を蓄え、その蓄えた電力を通話回路網５に供給するものである。蓄電回路部１３は、例えば、種々のコンデンサや二次電池等を用いることができ、特に内部抵抗が比較的低い電気二重層コンデンサを用いることができる。
【００３３】
着信検出回路部３は、磁石式電話回線からｇ接点（ａ点側に接続しているｇ接点）を介して呼出信号が入力すると、着信音を鳴動させるために着信信号（電気信号）をスピーカ４に与えるものである。
【００３４】
スピーカ４は、着信検出回路部３からの着信信号（電気信号）に基づいて着信音を出力するものである。
【００３５】
（Ａ−２）実施形態の動作
次に、この実施形態に係る磁石式電話回線用電話機１０における着信動作、発信動作、蓄電動作、通話動作を、図１を参照しながら説明する。
【００３６】
（Ａ−２−１）着信動作（相手先からの呼び出し）
まず、磁石式電話回線用電話機１０の着信動作を説明する。相手先の磁石式電話回線用電話機から着信がある場合、磁石式電話回線用電話機１０の送受器６はオンフック状態となっている。このとき、ｇ接点はａ点に接している。また、フックスイッチＳ３及びＳ４はａ点に接しており、フックスイッチＳ１及びＳ２は開となっている。
【００３７】
磁石式電話回線用電話機１０において、磁石式電話回線から呼出信号が入力すると、呼出信号がｇ接点を介して着信検出回路部３に入力する。呼出信号が入力すると、着信検出回路部３は着信信号をスピーカ４に出力し、スピーカ４が着信音を出力する。
【００３８】
そして、利用者が送受器６を持ち上げてオフフック状態になると、フックスイッチＳ３及びＳ４はｂ点に切り替え、フックスイッチＳ１及びＳ２は閉となり、通話が実施される。
【００３９】
（Ａ−２−２）発信動作（相手先を呼び出す）
次に、磁石式電話回線用電話機１０における発信動作を説明する。利用者が相手先に発信する場合、送受器６をオンフック状態で、利用者は磁石発電機２のハンドル８を回す。すなわち、利用者は送受器６をフックに載せたままハンドル８を回す。
【００４０】
磁石発電機２において、ハンドル８が回されると、磁石発電機２のｇ接点はａ点からｂ点に切り替える。このとき、フックスイッチＳ３及びＳ４はａ点と接しているため、ハンドル８が回されることにより磁石発電機２の発電により得られた呼出信号は、磁石式電気回線に送出される。
【００４１】
利用者は、磁石発電機２のハンドル８を回した後、送受器６を持ち上げてオフフック状態とする。送受器６がオフフック状態となると、フックスイッチＳ３及びＳ４はｂ点に切り替え、フックスイッチＳ１及びＳ２は閉となる。
【００４２】
また、相手先の磁石式電話回線用電話機において相手が着信動作を行い、相手からの受話信号（音声信号）が入力すると、ｇ接点がｂ点からａ点に切り替わり、通話が実施される。
【００４３】
（Ａ−２−３）蓄電動作
次に、磁石式電話回線用電話機１０における蓄電動作を説明する。蓄電動作は、送受器６が持ち上げられた状態、すなわちオフフック状態で行なわれる。
【００４４】
送受器６がオフフック状態となると、これに連動して、フックスイッチＳ１及びＳ２が閉となり、フックスイッチＳ３及びＳ４はａ点からｂ点に切り替える。フックスイッチＳ３及びＳ４の接点がｂ点に切り替わることで、磁石発電機２と通話電源供給回路１とが接続する。
【００４５】
オフフック状態で、利用者が磁石発電機２のハンドル８を回すと、ｇ接点がａ点からｂ点に切り替わると共に、磁石発電機２が呼出信号用の電力を発生させる。磁石発電機２から電力が、フックスイッチＳ３及びＳ４を介して通話電源供給回路部１に出力される。
【００４６】
通話電源供給回路部１では、磁石発電機２からの電力がＡＣ／ＤＣ変換回路部１１に入力し、ＡＣ／ＤＣ変換回路部１１が交流電流を直流電流に変換される。
【００４７】
次に、ＡＣ／ＤＣ変換回路部１１により変換された直流電流は、電流制限回路部１２に入力する。電流制限回路部１２では、蓄電回路部１３に流す電流値を制限するためのものであり、電流制限回路部１２を設けないと蓄電回路部１３へ流れる電流値が大きくなりすぎて磁石発電機２の負荷が大きくなり、利用者が磁石発電機２のハンドル８を回しにくくなる。例えば、電流制限回路部１２は、蓄電回路部１３に流す最大電流値が設定されており、その最大電流値以上の電流が蓄電回路部１３に流れないようにしている。
【００４８】
そして、電流制限回路部１２を介して電力が蓄電回路部１３に出力され、蓄電回路部１３に電荷（電気エネルギー）が蓄電されると同時に、蓄電回路部１３は、送話器６ｂ及び通話回路網５に電力を供給する。
【００４９】
例えば、磁石発電機２のハンドル８が回されることで磁石発電機２が発電する電圧が約８０Ｖ〜１００Ｖ程度となる。一方、蓄電回路部１３として例えばコンデンサ（例えば電気二重層コンデンサ）を用いる場合、出力電圧が約５Ｖ程度とする。磁石発電機２のハンドル８が約１０秒程度回されることで、蓄電回路部１３の内部抵抗により蓄電される電荷の容量は異なるが、蓄電回路部１３に電荷が蓄電されると約数１００秒程度の連続通話が可能となる。
【００５０】
また、蓄電動作はオフフック状態で可能であるため、通話をしながらでも、利用者が磁石発電機２のハンドル８を回すことで蓄電回路部１３に電力を蓄電することができる。すなわち、通話しながらでも通話可能時間を伸ばすことができる。
【００５１】
さらに、蓄電回路部１３が磁石発電機２により発電された電力を蓄積することができるため、磁石発電機２の発電期間以上の通話時間を確保することができる。
【００５２】
（Ａ−２−４）通話動作
次に、磁石式電話回線用電話機１０における通話動作を説明する。着信動作又は発信動作により通話が実施されるとき、オフフック状態となっているため、フックスイッチＳ１及びＳ２の接点は閉となっている。
【００５３】
そのため、フックスイッチＳ１は磁石式電話回線と通話回線網５とを接続している。またフックスイッチＳ２は、送話器６及び通話回路網５と通話電源供給回路部１を接続して通話用電力を供給して通話可能にする。すなわち、磁石式電話回線から相手側の受信音声信号は通話回線網５に入力すると、通話回線網５は受信音声信号を４線に変換した後に受信音声信号を増幅して再度２線に変換して受話器６ａに出力する。又送話器６ｂからの送信音声信号が通話回線網５に入力すると、通話回線網５は送信音声信号を４線に変換した後に送信音声信号を増幅して再度２線に変換して磁石式電話回線に出力する。これにより、通話を実施することができる。
【００５４】
また、フックスイッチＳ３及びＳ４の接点はｂ点となっているため、磁石発電機２と通話電源供給回路部１を接続する。従って、上述したように通話動作中において、例えば利用者が磁石発電機２のハンドル８を約１０秒程度回して蓄電することで、約数１００秒程度の連続通話が可能となる。
【００５５】
通話回線網５は側音防止回路部が設けられているが、利用者が発した音声信号が受話器６ａにわずかに戻ってくる。そのため、利用者は側音が小さくなってくることで、蓄電回路部１３の蓄電量が減ってきたことを認識できる。従って、利用者が通話を続ける場合には、利用者が磁石発電機２のハンドル８を回すことで蓄電回路部１３へ電荷を蓄電することができるため、これを繰り返すことで通話可能時間を伸ばすことができる。
【００５６】
（Ａ−３）実施形態の効果
以上のように、この実施形態によれば、送受器がオンフック状態のときに磁石発電機のハンドルを回転させた場合、従来と同様に磁石式電話回線に呼出信号を送出することができる。また、送受器がオフフック状態のときに磁石発電機のハンドルを回転させた場合、磁石発電機が発電した電力を通話電源供給回路に蓄電し、この電力を通話用電力として利用することができる。
【００５７】
そのため、通話用電源として電池や外部直流電源を設けることなく、通話を実現することができる。また、災害時の停電や一般電話の不通に関係なく、災害時にも安心して利用できる連絡手段を提供することができる。
【００５８】
（Ｂ）他の実施形態
上述した実施形態においても本考案の種々の変形実施形態を言及したが、本考案は、以下の変形実施形態も適用することができる。
【００５９】
（Ｂ−１）上述した実施形態では、磁石発電機２が交流式磁石発電機とする場合を例示した。しかし、磁石発電機２は、ハンドルを回転させることにより直流電流を出力する直流式磁石発電機であっても良い。
【００６０】
つまり、直流式磁石発電機を用いる場合、例えば、呼出信号の出力については、直流磁石発電機が出力する電圧を所定時間毎に反転して交流の呼出信号を形成する呼出信号形成回路部を備えることで実現できる。また、直流式磁石発電機から出力される電力の蓄電については、直流式磁石発電機から出力された電圧を所定の電圧値に変換するため、通話電源供給回路部１が図１のＡＣ／ＤＣ変換回路部１１に代えてＤＣ／ＤＣ変換回路部を備えるようにしてもよい。なお、この場合でも、必要に応じて、電流制限回路部を備えるようにしても良い。
【００６１】
（Ｂ−２）上述した実施形態において、磁石発電機はハンドルが回されることで呼出信号用の電力を発生させるものである場合を例示した。しかし、磁石発電機はこれに限定されるものではなく、例えば、磁石発電機は、接続するプッシュボタンが押下されることで電力を発生させるものであっても良い。
【００６２】
（Ｂ−３）上述した実施形態では、送話器のオンフック状態又はオフフック状態に連動するフックスイッチＳ３及びＳ４が、磁石発電機と磁石式電話回線との接続、又は、磁石発電機と通話電源供給手段との接続を切り替える場合を例示した。しかし、フックスイッチＳ３及びＳ４は、送話器のオンフック状態又はオフフック状態に連動したものでなく、磁石式電話回線用電話機に別途設けたスイッチ（例えば、プッシュボタン等）により切り替えられるものであっても良い。すなわち、別途設けたスイッチによる切替により、磁石発電機の発生した呼出信号用の電力を、呼出信号の送出又は通話用電源のいずれかに切り替えできるようにしても良い。
【００６３】
（Ｂ−４）上述した実施形態において、さらにフックスイッチを設け、発信側が呼び出しを行っている最中に、発信側では磁石発電機と通話電源供給回路部とを接続させて磁石発電機が発生させた呼出信号用の電力を通話電源供給回路部に与え、着信側では入力された呼出信号が通話電源供給回路部に入力できるようにすることで、発信側、着信側において電力を蓄電できるようにしても良い。これにより、発信側、着信側の磁石式電話回線用電話機において、通話開始のときに通話用電力を確保することができ、さらに通話中（オフフック状態）にハンドルを回すことで更に通話用電力を蓄電することができるため、通話時間を延長することができる。
【００６４】
（Ｂ−５）上述した実施形態では、利用者が受話器から聞こえる側音が小さくなることで、蓄電回路部の蓄電量の低下を認識する場合を例示した。しかし、蓄電回路部の蓄電量に関して、例えば、蓄電回路部がＬＥＤ等の表示部と接続する構成を取り、その表示部の明るさに基づいて蓄電量の低下を認識するようにしても良い。
【００６５】
（Ｂ−６）また、上述した実施形態の磁石式電話回線に３個以上の磁石式電話回線用電話機が接続されており、１対複数の通話を実現できるものであっても良い。
【符号の説明】
【００６６】
１０…磁石式電話回線用電話機、１…通話電源供給回路部、１１…ＡＣ／ＤＣ変換回路部、１２…電流制限回路部、１３…蓄電回路部、２…磁石発電機、３…着信検出回路部、４…スピーカ、５…通話回路網、６…送受器、６ａ…受話器、６ｂ…送話器、８…ハンドル、Ｓ１、Ｓ２、Ｓ３及びＳ４…フックスイッチ、ｇ…接点、Ｌ１及びＬ２…磁石式電話回線。
【図１】
0003188444.tif 000003
【図２】
0003188444.tif 000004
【図３】
0003188444.tif 000005